(57)【要約】【課題】使い勝手に優れるプラグ及びプラグ付きケーブルを提供する。【解決手段】ケーブル１の端末部に取り付けられているプラグ２は、アダプタ５に嵌合されるプラグ本体１０と、プラグ本体１０の外方からプラグ本体１０の外面２２ａに向けて弾性的に変位可能にプラグ本体１０に設けられており、アダプタ５に係止されるラッチ２５と、ラッチ２５の外方に配置されるカバー部３０を有するスライダ１１と、を備え、カバー部３０が外面２２ａに向けて押し下げられ、又はプラグ本体１０がアダプタ５から抜去される抜去方向にスライダ１１が引かれることにより、ラッチ２５が外面２２ａに向けて押し下げられ、ラッチ２５の係止状態が解除される。【選択図】図２
2019012254.tif 000002
【特許請求の範囲】
【請求項１】
アダプタに嵌合されるプラグ本体と、
前記プラグ本体の外方から該プラグ本体の外面に向けて弾性的に変位可能に前記プラグ本体に設けられており、前記プラグ本体が前記アダプタに嵌合されている状態で前記アダプタに係止され、前記外方から前記外面に向けて変位することによって前記アダプタに係止された状態から解放されるラッチと、
前記ラッチの前記外方に配置されるカバー部を有するスライダと、
を備え、
前記スライダは、前記カバー部を前記外方から前記外面に向けて押し下げ可能に前記プラグ本体に支持され、且つ前記プラグ本体が前記アダプタから抜去される抜去方向に移動可能に前記プラグ本体に支持されており、
前記プラグ本体と前記カバー部とは、互いに係合する係合部をそれぞれ有し、前記プラグ本体の前記係合部及び前記カバー部の前記係合部のうち少なくとも一方の係合部には、前記抜去方向に向かうに従い前記プラグ本体の前記外面に接近するガイド面が設けられており、
前記カバー部が前記外面に向けて押し下げられる際に、前記ラッチは前記カバー部と一体に前記外面に向けて押し下げられ、
また、前記スライダが前記抜去方向に移動する際に、一方の前記係合部が他方の前記係合部の前記ガイド面を摺動することにより、前記カバー部が前記プラグ本体の前記外面に引き寄せられ、前記ラッチは前記カバー部によって前記外面に向けて押し下げられるプラグ。
【請求項２】
請求項１記載のプラグであって、
前記カバー部は、前記ラッチを押圧する押圧部を有しており、
前記押圧部と、前記カバー部の前記係合部とは互いに隣設されているプラグ。
【請求項３】
請求項１又は２記載のプラグであって、
前記抜去方向に沿う前記スライダの可動域における前記抜去方向とは反対方向の一端に前記スライダが配置されている状態で、前記カバー部は、前記ラッチによって前記プラグ本体の前記外面から離間する向きに押圧されており、一方の前記係合部は他方の前記係合部の前記ガイド面に接触しているプラグ。
【請求項４】
請求項１から３のいずれか一項記載のプラグであって、
前記プラグ本体が前記アダプタに嵌合されている状態で、前記プラグ本体を前記抜去方向に付勢する付勢手段を備えるプラグ。
【請求項５】
請求項４記載のプラグであって、
前記付勢手段は、
当該プラグが取り付けられるケーブルの心線を保持し、前記プラグ本体が前記アダプタに嵌合されている状態で前記アダプタに当接する保持部材と、
前記保持部材を前記抜去方向とは反対方向に押圧する押圧部材と、
を含むプラグ。
【請求項６】
請求項１から５のいずれか一項記載のプラグが端末部に取り付けられているプラグ付きケーブル。
【発明の詳細な説明】
【技術分野】
【０００１】
本発明は、プラグ及びプラグ付きケーブルに関する。
【背景技術】
【０００２】
光ファイバケーブルと、レシーバやトランスミッタなどの光モジュール又は他の光ファイバケーブルとはアダプタ（いわゆるレセプタクルを含む）を介して接続されており、アダプタに嵌合されるプラグが光ファイバケーブルの端末部に設けられている。プラグには、典型的には、アダプタに係止されるラッチが設けられており、ラッチがアダプタに係止されている係止状態を解除するための操作部材を備えるプラグが知られている。
【０００３】
特許文献１に記載されたコネクタ（プラグ）は、操作部材としての引き金を備える。ラッチは、ジャックソケット（アダプタ）に挿入されるコネクタのプラグ端から反対側のケーブル入口端に向けて延びており、プラグ端側の固定端がコネクタの外表面に固定され、ケーブル入口端側の自由端がコネクタの外表面に対して上下移動可能に構成されている。引き金は、コネクタのケーブル入口端からプラグ端に向けて延びており、ケーブル入口端側の固定端がコネクタの外表面に固定され、プラグ端側の自由端がコネクタの外表面に対して上下移動可能に構成されている。引き金の自由端はラッチの自由端の上に配置されており、引き金がコネクタの外表面に向けて押し下げられると、引き金の自由端とラッチの自由端とが係合し、ラッチもまたコネクタの外表面に向けて押し下げられる。ラッチが押し下げられることにより、ラッチの係止状態が解除される。
【０００４】
特許文献２に記載された光コネクタ組立体（プラグ）は、操作部材としてのハウジングを備える。ラッチは、光コネクタプラグの先端部から後端部に向けて徐々に光コネクタプラグの外表面から離れるように傾斜して延びている。光コネクタプラグは、ハウジングに形成されているプラグ挿入孔に挿入されており、ハウジングは、光コネクタプラグの先端部から後端部に向けて移動可能に光コネクタプラグに支持されている。ハウジングが光コネクタプラグの後端部側に引っ張られると、ハウジングとラッチとの間に介在するラッチ解除部材を介してラッチが光コネクタプラグの外表面に向けて押し下げられる。ラッチが押し下げられることにより、ラッチの係止状態が解除される。
【０００５】
操作部材に対する引っ張り操作によってラッチの係止状態が解除されるプラグとしては、特開２００９−２２９５４５号公報に記載された光コネクタプラグ、米国特許第８２２１００７号明細書に記載されたプラグコネクタ、及び米国特許第８８９９８４５号明細書に記載された光ファイバコネクタも知られている。
【先行技術文献】
【特許文献】
【０００６】
【特許文献１】特開平９−１１３７６２号公報
【特許文献２】特開２００１−１４１９６１号公報
【発明の概要】
【発明が解決しようとする課題】
【０００７】
特許文献１に記載されたコネクタでは、操作部材としての引き金が押し下げられることによってラッチの係止状態が解除される。また、特許文献２に記載された光コネクタ組立体では、操作部材としてのハウジングが引っ張られることによってラッチの係止状態が解除される。このように、従来のプラグにおいてラッチの係止状態を解除する際の操作部材に対する操作としては、押し下げ操作と引っ張り操作との二通りの操作があるところ、従来のプラグはいずれか一方の操作にしか対応しておらず、ユーザーを困惑させる虞があり、使い勝手の点で難がある。
【０００８】
本発明は、上述した事情に鑑みなされたものであり、使い勝手に優れるプラグ及びプラグ付きケーブルを提供することを目的とする。
【課題を解決するための手段】
【０００９】
本発明の一態様のプラグは、アダプタに嵌合されるプラグ本体と、前記プラグ本体の外方から該プラグ本体の外面に向けて弾性的に変位可能に前記プラグ本体に設けられており、前記プラグ本体が前記アダプタに嵌合されている状態で前記アダプタに係止され、前記外方から前記外面に向けて変位することによって前記アダプタに係止された状態から解放されるラッチと、前記ラッチの前記外方に配置されるカバー部を有するスライダと、を備え、前記スライダは、前記カバー部を前記外方から前記外面に向けて押し下げ可能に前記プラグ本体に支持され、且つ前記プラグ本体が前記アダプタから抜去される抜去方向に移動可能に前記プラグ本体に支持されており、前記プラグ本体と前記カバー部とは、互いに係合する係合部をそれぞれ有し、前記プラグ本体の前記係合部及び前記カバー部の前記係合部のうち少なくとも一方の係合部には、前記抜去方向に向かうに従い前記プラグ本体の前記外面に接近するガイド面が設けられており、前記カバー部が前記外面に向けて押し下げられる際に、前記ラッチは前記カバー部と一体に前記外面に向けて押し下げられ、また、前記スライダが前記抜去方向に移動する際に、一方の前記係合部が他方の前記係合部の前記ガイド面を摺動することにより、前記カバー部が前記プラグ本体の前記外面に引き寄せられ、前記ラッチは前記カバー部によって前記外面に向けて押し下げられる。
【００１０】
また、本発明の一態様のプラグ付きケーブルは、前記プラグが端末部に取り付けられている。
【発明の効果】
【００１１】
本発明によれば、使い勝手に優れるプラグ及びプラグ付きケーブルを提供することができる。
【図面の簡単な説明】
【００１２】
【図１】プラグ付きケーブルの一例の斜視図である。
【図２】プラグの分解斜視図である。
【図３】プラグの正面図及びスライダ断面図である。
【図４】図３のIV-IV線断面図である。
【図５】スライダのカバー部が押し下げられた状態のプラグの断面図である。
【図６】スライダが引っ張られた状態のプラグの断面図である。
【図７】図３のVII-VII線断面図である。
【図８Ａ】アダプタとプラグとの嵌合が解除される際のプラグの各部の動作を示す断面図である。
【図８Ｂ】アダプタとプラグとの嵌合が解除される際のプラグの各部の動作を示す断面図である。
【図８Ｃ】アダプタとプラグとの嵌合が解除される際のプラグの各部の動作を示す断面図である。
【図９Ａ】アダプタとプラグとの嵌合が解除される際のプラグの各部の動作を示す断面図である。
【図９Ｂ】アダプタとプラグとの嵌合が解除される際のプラグの各部の動作を示す断面図である。
【図９Ｃ】アダプタとプラグとの嵌合が解除される際のプラグの各部の動作を示す断面図である。
【発明を実施するための形態】
【００１３】
以下、実施形態について図面を参照して説明する。
【００１４】
図１に示すケーブル１は光ファイバケーブルであり、光ファイバケーブル１の端末部にはプラグ２が取り付けられている。プラグ２は、機器３のパネル４に設けられているアダプタ５に嵌合される。機器３は、例えば通信機器又は配線盤であり、光ファイバケーブル１は、アダプタ５を介して、例えば通信機器に実装されている光モジュールに接続され、又は配線盤に収納されている他の光ファイバケーブルに接続される。
【００１５】
アダプタ５は、嵌合孔がパネル４の正面側にのみ設けられる、いわゆるレセクタプルと、嵌合孔がパネル４の正面側及び背面側の双方に設けられるものとを含む。嵌合孔がパネル４の正面側にのみ設けられているアダプタは、典型的には、光ファイバケーブル１と光モジュールとの接続に用いられ、嵌合孔がパネル４の正面側及び背面側の双方に設けられているアダプタは、典型的には、光ファイバケーブル１と他の光ファイバケーブルとの接続に用いられる。
【００１６】
図２から図４はプラグ２の構成を示す。プラグ２は、プラグ本体１０と、スライダ１１とを備える。
【００１７】
プラグ本体１０は、光ファイバケーブル１の心線（光ファイバ）６を保持する保持部材としてのフェルール２０と、フェルール２０を支持しているプラグフレーム２１と、プラグフレーム２１を支持しているラッチフレーム２２とを備える。本例では、フェルール２０は心線毎に設けられており、プラグフレーム２１はフェルール２０毎に設けられている。光ファイバケーブル１は単心ケーブルであってもよいし、２心以上の多心ケーブルであってもよく、フェルール２０及びプラグフレーム２１の数は、光ファイバケーブル１の心数に応じて適宜変更される。なお、フェルール２０は、複数の心線を保持する多心フェルールであってもよい。
【００１８】
ラッチフレーム２２は筒状に形成されており、光ファイバケーブル１は、ラッチフレーム２２に挿通され、ラッチフレーム２２の軸方向一端側の開口から引き出されている。ラッチフレーム２２から引き出された光ファイバケーブル１には、ケーブルの屈曲を防止するためのブーツ２３が被せられている。
【００１９】
プラグフレーム２１はラッチフレーム２２の軸方向他端側の開口から突出して配置されており、このプラグフレーム２１がアダプタ５に嵌合される。以下、プラグフレーム２１がラッチフレーム２２から突出する方向をプラグ２における前方とし、反対方向を後方とする。プラグ本体１０が後方に引かれることによってプラグフレーム２１はアダプタ５から抜去される。
【００２０】
プラグフレーム２１は筒状に形成されており、本例では、フェルール２０はプラグフレーム２１の内部で前後方向に移動可能にプラグフレーム２１に収容されている。そして押圧部材としてのコイルスプリング３４がプラグフレーム２１にさらに収容されている。コイルスプリング３４は、フェルール２０に設けられているフランジ部３５と、プラグフレーム２１の後端側の開口部に組み付けられている環状のストッパ３６との間に配置されており、フェルール２０を前方に押圧し、換言すればプラグフレーム２１がアダプタ５から抜去される抜去方向とは反対方向に押圧している。前方に押圧されているフェルール２０の前端部２４は、プラグフレーム２１の前端側の開口から突出して配置されている。
【００２１】
ラッチフレーム２２の外周の一面２２ａには、アダプタ５によって係止されるラッチ２５が設けられている。以下、外面２２ａの面内において前後方向に垂直な方向且つ外面２２ａに平行な方向をプラグ２における幅方向とする。また、外面２２ａに垂直な方向をプラグ２における上下方向とし、外面２２ａ側を上側とする。なお、二つのラッチ２５が幅方向に間隔をあけて配置されているが、ラッチ２５は一つ以上あればよい。
【００２２】
ラッチ２５はラッチフレーム２２の外面２２ａに固定されている支持部２６から前方に延びており、ラッチ２５の前端部２７はプラグフレーム２１の上方に配置されている。ラッチ２５とラッチフレーム２２の外面２２ａ及びプラグフレーム２１の外面２１ａとの間には支持部２６を除いて隙間があいており、ラッチ２５が弾性的に撓むことによって、前端部２７はプラグフレーム２１の外面２１ａの上方から外面２１ａに向けて変位可能である。前端部２７はプラグフレーム２１と共にアダプタ５に収容され、前端部２７には、アダプタ５によって係止される係止突起２８が設けられている。
【００２３】
スライダ１１は、ラッチ２５の上方に配置されるカバー部３０と、ラッチフレーム２２の後方に配置される把持部３１とを備える。ラッチフレーム２２の外面２２ａとカバー部３０とはラッチ２５を間に挟んで対向しており、外面２２ａとカバー部３０とには、互いに係合する係合部４０，４１がそれぞれ設けられている。両係合部４０，４１によって、スライダ１１は、カバー部３０を外面２２ａの上方から外面２２ａに向けて押し下げ可能にラッチフレーム２２に支持され、且つスライダ１１は、後方に移動可能に、換言すればプラグフレーム２１がアダプタ５から抜去される抜去方向に移動可能にラッチフレーム２２に支持されている。
【００２４】
図３及び図４に示すように、ラッチフレーム２２の係合部４０は、ラッチフレーム２２の外面２２ａに固定されているリブ４２と、リブ４２から幅方向両側に突出している一対のウイング４３とで構成されており、前後方向に延びている。
【００２５】
カバー部３０の係合部４１は、幅方向に間隔をあけて配置されている一対のアーム４４を含む。一対のアーム４４は、係合部４０のリブ４２及び一対のウイング４３を幅方向に挟んでおり、リブ４２及び一対のウイング４３と一対のアーム４４との係合によって、カバー部３０は前後方向にガイドされる。そして、各アーム４４には、ラッチフレーム２２の外面２２ａとウイング４３との間に収容される係合爪４５が設けられており、ウイング４３と係合爪４５との係合によってカバー部３０の浮き上がりが規制される。これにより、スライダ１１は抜去方向に移動可能に支持される。なお、スライダ１１の把持部３１には、ブーツ２３が挿通される挿通孔３２が設けられており、挿通孔３２の内周とブーツ２３との係合によって、スライダ１１の支持が補助されている。
【００２６】
係合部４１は、一対のアーム４４の前端部間を塞ぐストッパ４６をさらに含み、スライダ１１の抜去方向に沿った可動域は、ストッパ４６と、把持部３１とによって規定されている。スライダ１１が抜去方向に所定量移動すると、ストッパ４６が係合部４０のリブ４２の前端と当接し、スライダ１１の抜去方向の移動が阻止される。また、スライダ１１が抜去方向とは反対方向に所定量移動すると、把持部３１がラッチフレーム２２の後端に当接し、スライダ１１の抜去方向とは反対方向の移動が阻止される。
【００２７】
そして、リブ４２及び一対のウイング４３とカバー部３０との間には上下方向に隙間があけられており、一対のアーム４４とラッチフレーム２２の外面２２ａとの間にもまた上下方向に隙間があけられており、これらの隙間があることによって、スライダ１１は、カバー部３０を外面２２ａに向けて押し下げ可能に支持される。
【００２８】
以上のように、スライダ１１を抜去方向に移動可能に支持し、且つスライダ１１のカバー部３０をラッチフレーム２２の外面２２ａに向けて押し下げ可能に支持する両係合部４０，４１は、さらに、スライダ１１が抜去方向に移動する際に、スライダ１１の移動に応じてカバー部３０が外面２２ａに引き寄せられるように構成されている。
【００２９】
本例では、ラッチフレーム２２の外面２２ａと対向するウイング４３の下面にはガイド面４３ａが設けられており、ウイング４３と対向する係合爪４５の上面にもガイド面４５ａが設けられており、ガイド面４３ａ，４５ａは、いずれも後方に向かうに従い外面２２ａに接近するように傾斜している。スライダ１１が抜去方向（後方）に移動する際に、スライダ１１の移動に応じて、ウイング４３の前端４３ｅが係合爪４５のガイド面４５ａを摺動し、また、係合爪４５の後端４５ｅがウイング４３のガイド面４３ａを摺動し、これにより、カバー部３０がラッチフレーム２２の外面２２ａに引き寄せられる。なお、ガイド面は、係合部４０，４１のうちいずれか一方の係合部にのみ設けられてもよい。
【００３０】
図５は、カバー部３０がラッチフレーム２２の外面２２ａに向けて押し下げられた状態を示す。押し下げられたカバー部３０はラッチ２５に当接し、ラッチ２５は、弾性的に撓みながら、カバー部３０と一体に外面２２ａに向けて押し下げられる。これにより、ラッチ２５の前端部２７がプラグフレーム２１の外面２１ａに向けて変位する。
【００３１】
図６は、スライダ１１の抜去方向の移動に応じてカバー部３０がラッチフレーム２２の外面２２ａに引き寄せられた状態を示す。外面２２ａに引き寄せられたカバー部３０はラッチ２５に当接し、ラッチ２５は、弾性的に撓みながら、カバー部３０によって外面２２ａに向けて押し下げられる。これにより、ラッチ２５の前端部２７がプラグフレーム２１の外面２１ａに向けて変位する。
【００３２】
図７に示すように、カバー部３０には、ラッチ２５と当接する押圧部３３が設けられており、押圧部３３はカバー部３０の係合部４１に隣設されていることが好ましい。本例では、ラッチフレーム２２の係合部４０は一対のラッチ２５の間に配置されており、カバー部３０の係合部４１は、係合部４０に対応して、カバー部３０の幅方向中央部に配置されており、押圧部３３は係合部４１の幅方向両側に配置されている。スライダ１１の抜去方向の移動に応じてカバー部３０がラッチフレーム２２の外面２２ａに引き寄せられ、カバー部３０が外面２２ａに引き寄せられることによってラッチ２５と当接する場合に、押圧部３３が係合部４１に隣設されていることにより、カバー部３０の撓みを抑制してラッチ２５を外面２２ａに向けて確実に押し下げることができる。
【００３３】
また、抜去方向に沿うスライダ１１の可動域における抜去方向とは反対方向の一端にスライダ１１が配置されている状態、すなわち、把持部３１がラッチフレーム２２の後端に当接している図４に示す状態で、ラッチ２５は弾性的に撓んでおり、カバー部３０がラッチ２５によってラッチフレーム２２の外面２２ａから離間する向きに押圧されていることが好ましい。これにより、係合部４０のウイング４３と係合部４１のガイド面４５ａとの接触、及び係合部４１の係合爪４５と係合部４０のガイド面４３ａとの接触を維持してカバー部３０のガタつきを抑制でき、スライダ１１の操作性を高めることができる。
【００３４】
図８Ａ〜図８Ｃは、スライダ１１のカバー部３０がラッチフレーム２２の外面２２ａに向けて押し下げられることによって、アダプタ５とプラグ本体１０との嵌合が解除される際のプラグ２の各部の動作を示す。
【００３５】
図８Ａに示すように、プラグ本体１０のプラグフレーム２１がアダプタ５に嵌合している。ラッチ２５の前端部２７もアダプタ５に収容されており、前端部２７に設けられている係止突起２８がアダプタ５の係止部７によって係止されている。フェルール２０の前端部２４は、アダプタ５のフェルール受け部８に当接してプラグフレーム２１に押し込まれており、プラグフレーム２１に収容されているコイルスプリング３４は圧縮されている。フェルール２０は、プラグフレーム２１がアダプタ５から抜去される抜去方向とは反対方向に押圧されており、プラグ本体１０は、フェルール２０とコイルスプリング３４とによって構成される付勢手段によって抜去方向に付勢されている。
【００３６】
図８Ｂに示すように、スライダ１１のカバー部３０がラッチフレーム２２の外面２２ａに向けて押し下げられると、上記のとおり、ラッチ２５がカバー部３０と一体に外面２２ａに向けて押し下げられ、ラッチ２５の前端部２７がプラグフレーム２１の外面２１ａに向けて変位する。前端部２７の変位に伴い、前端部２７の係止突起２８がアダプタ５の係止部７によって係止されている係止状態が解除され、アダプタ５とプラグフレーム２１との嵌合が解除可能となる。
【００３７】
図８Ｃに示すように、ラッチ２５の係止状態が解除されると、抜去方向に付勢されているプラグ本体１０が自動的に抜去方向に移動する。具体的には、圧縮されたコイルスプリング３４が、フェルール２０の前端部２４をプラグフレーム２１から押し出しながら復元し、前端部２４が押し出されるのに応じて、プラグフレーム２１が自動的にアダプタ５から所定量押し出される。この後、プラグ本体１０が抜去方向に引かれることにより、プラグフレーム２１がアダプタ５から完全に抜去される。
【００３８】
図９Ａ〜図９Ｃは、スライダ１１が抜去方向に引っ張られることによって、アダプタ５とプラグ本体１０との嵌合が解除される際のプラグ２の各部の動作を示す。
【００３９】
図９Ａに示すように、プラグ本体１０のプラグフレーム２１がアダプタ５に嵌合している。ラッチ２５の前端部２７もアダプタ５に収容されており、前端部２７に設けられている係止突起２８がアダプタ５の係止部７によって係止されている。
【００４０】
図９Ｂに示すように、スライダ１１が抜去方向に引かれると、上記のとおり、スライダ１１の抜去方向の移動に応じてカバー部３０がラッチフレーム２２の外面２２ａに引き寄せられ、ラッチ２５がカバー部３０によって外面２２ａに向けて押し下げられ、ラッチ２５の前端部２７がプラグフレーム２１の外面２１ａに向けて変位する。前端部２７の変位に伴い、前端部２７の係止突起２８がアダプタ５の係止部７によって係止されている係止状態が解除され、アダプタ５とプラグフレーム２１との嵌合が解除可能となる。
【００４１】
図９Ｃに示すように、スライダ１１が引き続き抜去方向に引かれると、スライダ１１が可動域の抜去方向の一端に達し、以後、スライダ１１と一体にプラグ本体１０も抜去方向に引かれ、プラグフレーム２１がアダプタ５から抜去される。
【００４２】
このように、スライダ１１のカバー部３０の押し下げ操作と、スライダ１１の引っ張り操作との二通りの操作によってラッチ２５の係止状態を解除でき、プラグ２は使い勝手に優れる。
【００４３】
さらに、本例では、プラグ本体１０が抜去方向に付勢されており、カバー部３０の押し下げ操作によってラッチ２５の係止状態が解除される場合に、ラッチ２５の係止状態が解除されると同時にプラグ本体１０が自動的に抜去方向に移動し、ラッチ２５の係止突起２８がアダプタ５の係止部７から離脱する。これにより、プラグフレーム２１をアダプタ５から完全に抜去するにあたってプラグ本体１０を抜去方向に引く際に、カバー部３０の押し下げを不要とすることができ、プラグ２の操作性を高めることができる。なお、プラグ本体１０を抜去方向に付勢する付勢手段は、フェルール２０と、フェルール２０を押圧するコイルスプリング３４とによって構成されているが、フェルール２０を押圧する押圧部材は、例えば板ばねやゴム等の弾性体であってもよい。
【００４４】
ここまで、光ファイバケーブル１とその端末部に取り付けられているプラグ２を例にして実施形態を説明したが、上記実施形態は一例であって、本開示の趣旨を逸脱しない範囲で変更して実施できることは言うまでもない。例えばケーブルは、心線に導体が用いられる電気ケーブル（例えばＬＡＮ（Local Area Network）ケーブル等）であってもよい。また、ケーブルには、幹線から複数の分岐線が延びる分岐ケーブルも含まれ、分岐ケーブルである場合に、プラグが取り付けられるケーブルの端末部には、幹線の端末部及び／又は各分岐線の端末部が含まれる。
【符号の説明】
【００４５】
１  光ファイバケーブル
２  プラグ
５  アダプタ
６  心線
１０  プラグ本体
１１  スライダ
２０  フェルール（保持部材）
２５  ラッチ
３０  カバー部
３３  押圧部
３４  コイルスプリング（押圧部材）
４０  係合部
４１  係合部
４３  ウイング
４３ａ  ガイド面
４５  係合爪
４５ａ  ガイド面
【図１】
2019012254.tif 000003
【図２】
2019012254.tif 000004
【図３】
2019012254.tif 000005
【図４】
2019012254.tif 000006
【図５】
2019012254.tif 000007
【図６】
2019012254.tif 000008
【図７】
2019012254.tif 000009
【図８Ａ】
2019012254.tif 000010
【図８Ｂ】
2019012254.tif 000011
【図８Ｃ】
2019012254.tif 000012
【図９Ａ】
2019012254.tif 000013
【図９Ｂ】
2019012254.tif 000014
【図９Ｃ】
2019012254.tif 000015